(57)【特許請求の範囲】
【請求項１】
ワイヤハーネス組立図板上において、先端にコネクタを接続した電線群および上記コネクタに後入れする端子を接続した電線を保持するための治具であって、
上記図板に立設する軸部と、該軸部の上端よりＵ字形状に突出する電線群の保持部と、該保持部の側枠部の上端を分岐させて形成した２以上の後入れ端子電線保持部とを備えていることを特徴とするワイヤハーネス組立用治具。
【請求項２】
上記後入れ端子電線保持部の幅Ｗ１と、電線径Ｗ２、端子幅Ｗ３との関係は、Ｗ２＜Ｗ１＜Ｗ３の関係に設定して、該後入れ端子電線保持部で保持した電線が容易に抜けない構成としている請求項１に記載のワイヤハーネス組立用治具。
【発明の詳細な説明】
【０００１】
【発明の属する技術分野】
本発明はワイヤハーネスを組立図板上において、先端にコネクタを取り付けた電線群を保持するとともに、コネクタに後入れする端子電線を保持するようにしたワイヤハーネス組立用治具に関し、詳しくは、治具自体の構造を簡単にすると共に、後入れする端子電線の保持と取り外しを容易に行えるようにするものである。
【０００２】
【従来の技術】
ワイヤハーネスの形成は、複数の電線をワイヤハーネス組立図板上に立設した治具に沿って配索し、これら治具で保持された複数の電線をテープ巻きして形成している。
【０００３】
上記ワイヤハーネスの形成時において、先端にコネクタを取り付けた電線群（仮結束品）を布線用治具にて保持し、該電線群内の電線とは別の、先端に端子を接続した電線を上記コネクタに後入れして接続する作業がある。一般に、このような組立図板上でコネクタに後入れして接続する電線を後入れ端子電線（また、単に後入れ電線）と呼んでいる。
【０００４】
かかる後入れ端子電線をコネクタに接続する場合、後入れ端子電線を挿入するコネクタの端子収容室は予め個々の電線毎に決められており、作業者は、図板上に記載されている指示に従って、各後入れ端子電線を所定の端子収容室に挿入して接続する。このため、従来から、コネクタを接続した電線群を保持する一方、コネクタ近傍に後入れ端子電線を保持できるようにした治具を用いている。
【０００５】
図７がその治具であり、該治具１０は、図板に立設する軸部１と該軸部１の上端より突出して電線群を保持するＵ字枠部２とからなる布線用Ｕ字治具部１０Ａ（図７（Ａ））と、長板３の中間部に布線用Ｕ字治具１０ＡのＵ字枠部２の各側枠２ａ、２ｂが挿入される穴部３ａ、３ｂを設けると共に、両側部に後入れ端子電線を挟持するエンドグリプ４ａ、４ｂを立設した後入れ端子電線保持治具部１０Ｂ（図７（Ｂ））とからなり、後入れ端子電線保持治具部１０Ｂの長板３の穴部３ａ、３ｂに布線用Ｕ字治具部１０Ａの側枠２ａ、２ｂを挿入して組立てている（図７（Ｃ））。
【０００６】
コネクタへの後入れ端子電線の挿入作業は以下のようにして行う。図板上で電線を布線し、図８に示すように、後入れ端子電線２２ａ、２２ｂを端子電線保持治具部のエンドグリプ４ａ、４ｂで挟持した後、先端にコネクタ２０を接続した電線群（仮結束品）２１のコネクタ２０の手前部分を布線用Ｕ字治具部のＵ字枠部２の載置して保持する。そして、後入れ端子電線２２ａ、２２ｂを順次クリップから外し、コネクタ２０の所定の端子収容室に挿入していく。
【０００７】
【発明が解決しようとする課題】
上記従来の治具１０は実質的に２つの治具１０Ａ、１０Ｂを合体させているので、部品点数が多くなる。また、２つの穴部３ａ、３ｂに２つの側枠２ａ、２ｂを挿入するのに両治具の位置決めが必要になり、両治具１０Ａ、１０Ｂを合体させるのに手間がかかるという欠点があった。
【０００８】
本発明は上記した事情に鑑みてなされたもので、治具自体の構造を簡単にして、組み立て（合体）作業を不要にし、かつ、治具のコストを削減することを課題としている。
【０００９】
【課題を解決するための手段】
上記課題を解決するため、本発明は、請求項１で、ワイヤハーネス組立図板上において、先端にコネクタを接続した電線群および上記コネクタに後入れする端子を接続した電線を保持するための治具であって、上記図板に立設する軸部と、該軸部の上端よりＵ字形状に突出する電線群の保持部と、該保持部の側枠部の上端を分岐させて形成した２以上の後入れ端子電線保持部とを備えていることを特徴とするワイヤハーネス組立用治具を提供している。
【００１０】
上記後入れ端子電線保持部の幅Ｗ１と、電線径Ｗ２、端子幅Ｗ３との関係は、Ｗ２＜Ｗ１＜Ｗ３の関係に設定して、該後入れ端子電線保持部で保持した電線が容易に抜けない構成としているのが好ましい（請求項２）。
【００１１】
上記治具では、電線群の保持部の側枠部の上端を分岐させて後入れ端子電線保持部を形成しているので、従来のように、後入れ端子電線保持用の治具を別途必要とせず、単一の物品の治具により電線群と後入れ端子電線の両方を保持することができる。
【００１２】
【発明の実施の形態】
以下、本発明の実施形態を図面を参照して説明する。
【００１３】
図１は本発明の第１実施形態の治具であり、該治具１００は、ワイヤハーネス組立図板（図示せず）上に立設される丸棒の軸部５１と、該軸部５１の上端よりＵ字形状に突出した丸棒の側枠部５２ａ、５２ｂからなる電線群の保持部５２と、該保持部５２の側枠部５２ａ、５２ｂの上端にそれぞれ切れ込みを入れて形成した後入れ端子電線保持溝５３ａ、５３ｂとを備えている。
【００１４】
後入れ端子電線保持溝５３ａ、５３ｂは、その溝幅Ｗ１を、保持する後入れ端子電線の電線径Ｗ２よりも大きくし、かつ、後入れ端子電線の端子の幅Ｗ３よりも小さくしている。また、溝の深さＨは電線を数本挿入できる深さにしている。
【００１５】
また、図２に示すように、溝５３ａ、５３ｂの内面５４と側枠部５２ａ、５２ｂの外周面６０との境界６１は角を無くし、曲面に仕上げている。
【００１６】
上記した治具１００は、ワイヤハーネス組立図板（図示せず）上の電線が布線される所定位置に立設される。
【００１７】
ワイヤハーネス布線時、先端にコネクタを接続した電線群（仮結束品）をＵ字形状の電線群保持部５２に布線していない状態で、布線した後入れ端子電線２２ａ、２２ｂを、電線群保持部５２の側枠部５２ａ、５２ｂ上端の後入れ端子電線保持溝５３ａ、５３ｂに挿入して保持させる（図３（Ａ））。この後、先端にコネクタ２０を接続した電線群（仮結束品）２１を布線して電線群保持部５２に保持させた後、上記端子電線保持溝５３ａ、５３ｂに保持していた後入れ端子電線２２ａ、２２ｂを外し、コネクタ２０の所定の端子収容室２０ａ、２０ｂにそれぞれ挿入する（図３（Ｂ））。
【００１８】
後入れ端子電線保持溝５３ａ、５３ｂの溝幅Ｗ１、後入れ端子電線の電線径Ｗ２、後入れ端子電線の端子の幅Ｗ３はＷ２＜Ｗ１＜Ｗ３の関係に設定してあるので、後入れ端子電線２２ａ、２２ｂを端子電線保持溝５３ａ、５３ｂに挿入した後は、電線がその長さ方向に引っ張られたりしても、溝５３ａ、５３ｂから抜け落ちることがない。
【００１９】
また、コネクタ２０に後入れする作業時、片手で後入れ端子電線２２ａ、２２ｂを摘み上げることにより溝５３ａ、５３ｂから簡単に外すことができる。よって、後入れ端子電線２２ａ、２２ｂのコネクタ２０への挿入作業を簡単かつ速やかに行うことができる。
【００２０】
図４は第２実施形態の治具を示している。該治具２００は、治具全体、すなわち、軸部と側枠部を丸棒にせず、平板状の軸部５５と平板状の側枠部５６ａ、５６ｂにより構成し、側枠部５６ａ、５６ｂの各上端を２つに分岐させて後入れ端子電線保持溝５３ａ、５３ｂを形成している点が第１実施形態の治具１００と異なっている。本治具２００においても、第１実施形態の治具１００と同様の効果を得ることができる。
【００２１】
図５は第３実施形態の治具を示している。該治具３００は、側枠部５６ａ、５６ｂの各上端を３つに分岐させて、各上端に２個の後入れ端子電線保持溝５３ａ−１、５３ａ−２と５３ｂ−１、５３ｂ−２を形成している点が第２実施形態の治具２００と異なっている。各後入れ端子電線保持溝５３ａ−１、５３ａ−２、５３ｂ−１、５３ｂ−２は、いずれも、その溝幅Ｗ１を、保持する後入れ端子電線の電線径Ｗ２よりも大きくし、かつ、後入れ端子電線の端子の幅Ｗ３よりも小さくしている。また、溝の深さＨは電線を数本挿入できる深さにしている。
【００２２】
この治具３００は後入れ端子電線の数が多い場合に対応させたもので、図６に示すように、側枠部５６ａ、５６ｂの各上端に２列に電線Ｗを収容して保持することができる。
【００２３】
なお、上記いずれの実施形態の治具においても、後入れ端子電線保持溝の溝幅Ｗ１を端子の幅Ｗ３より小さくしたが、後入れ端子電線に余り大きな張力が作用せず、端子の自重に電線の先端が折れ曲がって、電線が溝から外れることを防止できる場合、後入れ端子電線保持溝の溝幅Ｗ１を端子の幅Ｗ３よりも大きくしてもよい。この場合、溝への電線の挿入作業が行いやすくなる。
【００２４】
【発明の効果】
以上の説明より明らかなように、本発明に係わるワイヤハーネス組立用治具によれば、電線群保持部の側枠部の上端にて後入れ端子電線を保持することができ、後入れ端子電線保持用の治具を別途必要としない。よって、従来のような２つの治具を合体させるような手間がなく、しかも、治具のコストを大幅に削減することができる。
【図面の簡単な説明】
【図１】  本発明の第１実施形態の治具を示す斜視図である。
【図２】  図１の治具の側枠部の上面図である
【図３】  （Ａ）（Ｂ）は図１の治具を用いた電線の布線作業を示す斜視図である。
【図４】  本発明の第２実施形態の治具を示す斜視図である。
【図５】  本発明の第３実施形態の治具を示す斜視図である。
【図６】  図４の治具の後入れ端子電線保持溝に後入れ端子電線を保持している状態を示す側面図である。
【図７】  （Ａ）（Ｂ）（Ｃ）は従来の治具を示す斜視図である。
【図８】  図７の治具に電線群と後入れ端子電線を保持させた状態を示す斜視図である。
【符号の説明】
２０  コネクタ
２１  電線群（仮結束品）
２２ａ、２２ｂ  後入れ端子電線
５１  丸棒の軸部
５２ａ、５２ｂ  丸棒の側枠部
５３ａ、５３ｂ  後入れ端子電線保持溝
１００  治具
【図１】
0003684767.tif 000002
【図２】
0003684767.tif 000003
【図３】
0003684767.tif 000004
【図４】
0003684767.tif 000005
【図５】
0003684767.tif 000006
【図６】
0003684767.tif 000007
【図７】
0003684767.tif 000008
【図８】
0003684767.tif 000009